(57)【特許請求の範囲】
【請求項１】
搬送中の物品がＸ線照射領域にない場合には、省エネモードに切り替わってＸ線発生装置への電力供給を低減させるＸ線検査装置であって、前記物品を前記Ｘ線照射領域に搬送する搬送コンベアと、該搬送コンベアの上流側に設置された物品検出センサと、前記物品検出センサから前記物品の検出信号が入力されると、前記物品が前記Ｘ線照射領域に到達するタイミングで前記Ｘ線発生装置に通常モードの電力を印加させるとともに、前記物品検出センサによる前記物品の検出時間に相当する時間が経過するまで前記通常モード状態を維持してその時間を計測し、前記物品が前記Ｘ線照射領域を通過して前記物品の搬送方向長さに相当する時間が経過すると、前記電力を通常モードから省エネモードに切り替えて省エネモード時間を計測する制御手段と、該制御手段で計測したそれらの計測結果を運転中の表示画面に省エネモードの表示とともに表示する表示手段と、
を備えたことを特徴とするＸ線検査装置。
【請求項２】
前記表示手段が、省エネモード中であることのメッセージとともに、省エネモードでの運転時間と非省エネモードでの運転時間との割合をバーグラフ表示するものであることを特徴とする請求項１に記載のＸ線検査装置。
【発明の詳細な説明】
【技術分野】
【０００１】
この発明は、搬送中の物品にＸ線を照射して、物品中の異物の有無や内容物の割れ欠け、梱包製品における欠品の有無等を検査するＸ線検査装置に関する。          
【背景技術】
【０００２】
工業用のＸ線検査装置は、物品中の異物の有無や袋詰商品の内容物の割れ欠け、梱包製品における欠品の有無等を検査するために、搬送ラインに組み込まれるが、この種の装置は、搬送中の物品に連続的にＸ線を照射する必要から、Ｘ線発生装置の劣化が、医療分野のものとは違って、格段に早いという問題がある。
そのため、下記特許文献１では、物品がＸ線検出領域に居ない場合には、Ｘ線発生装置への電力供給を低減させて、長寿命化を図る試みがなされている。
【先行技術文献】
【特許文献】
【０００３】
【特許文献１】特開２００７−１９２６０５号公報
【発明の概要】
【発明が解決しようとする課題】
【０００４】
しかしながら、従来の装置では、電力供給を削減することはできても、それが可視化されていないために、それが省エネにどれだけ貢献しているかを知ることはできなかった。この発明は、こうした事情に鑑みて発明したもので、省エネ効果を可視化できる新たなＸ線検査装置を提供することを課題とする。
【課題を解決するための手段】
【０００５】
請求項１に記載の発明は、搬送中の物品がＸ線照射領域に居ない場合には、省エネモードに切り替わってＸ線発生装置への電力供給を低減させるＸ線検査装置であって、前記物品を前記Ｘ線照射領域に搬送する搬送コンベアと、該搬送コンベアの上流側に設置された物品検出センサと、前記物品検出センサから前記物品の検出信号が入力されると、前記物品が前記Ｘ線照射領域に到達するタイミングで前記Ｘ線発生装置に通常モードの電力を印加させるとともに、前記物品検出センサによる前記物品の検出時間に相当する時間が経過するまで前記通常モード状態を維持してその時間を計測し、前記物品が前記Ｘ線照射領域を通過して前記物品の搬送方向長さに相当する時間が経過すると、前記電力を通常モードから省エネモードに切り替えて省エネモード時間を計測する制御手段と、該制御手段で計測したそれらの計測結果を運転中の表示画面に省エネモードの表示とともに表示する表示手段と、を備えたことを特徴とする。
【０００６】
請求項２に記載の発明は、請求項１に記載のＸ線検査装置であって、前記表示手段が、省エネモード中であることのメッセージとともに、省エネモードでの運転時間と非省エネモードでの運転時間との割合をバーグラフ表示するものであることを特徴とする。
【発明の効果】
【０００７】
請求項１に記載の発明によれば、物品がＸ線照射領域に来なければ、Ｘ線検査装置が省エネモードに切り替わるとともに、省エネモード中であることを表示するので、物品の搬送状況やＸ線検査装置の稼動状況を監視する作業員にとっては、省エネモードへの切り替え表示を通して、物品の搬送状況やＸ線検査装置の運転状況とを同時に確認することができる。
【０００８】
加えて、Ｘ線検査装置の省エネモードでの運転時間と非省エネモードでの運転時間とを知ることができるので、省エネモードの運転時間から、無駄なエネルギーの削減時間を知ることができる。また、非省エネモードの運転時間から、Ｘ線発生装置の寿命やＸ線の照射によって劣化するラインセンサ（Ｘ線検出センサ）の寿命を予測することもできる。
【０００９】
請求項２に記載の発明によれば、請求項１に記載の発明の効果に加えて、省エネモードでの運転時間と非省エネモードでの運転時間との割合をバーグラフ表示するので、無駄なエネルギーの削減割合や装置の稼動状況等を知ることができる。加えて、これらの運転時間を集計することにより、日単位、月単位、年単位での削減割合や稼動状況等も知ることができる。
【図面の簡単な説明】
【００１０】
【図１】この発明の一実施形態に係るＸ線検査装置の主要部のブロック線図。
【図２】前記実施形態に係るＸ線検査装置の動作を説明するタイミングチャート。
【図３】表示手段による一表示形態を示す図。
【発明を実施するための形態】
【００１１】
以下、この発明の一実施形態を図１乃至図３に基づいて説明する。
【実施例】
【００１２】
Ｘ線検査装置１は、搬送コンベア２と、Ｘ線発生装置３と、Ｘ線検出センサ４と、制御手段５と、表示手段６とを備える。
【００１３】
Ｘ線発生装置３は、搬送コンベア２の上方に設置されて、搬送中の物品ＡにＸ線を照射するもので、その照射領域Ｓは、Ｘ線検出センサ４の幅と長さに制限されている。
Ｘ線検出センサ４は、搬送コンベア２の下方に設置されて、物品Ａを透過してきたＸ線を検出して電気信号に変換する。
制御手段５は、Ｘ線検出センサ４の信号を入力し、これに基づいて２次元の検出画像に展開した後、それに画像処理を施して物品の割れ欠け、異物混入の有無、梱包製品における欠品の有無等を検出する。
表示手段６は、タッチパネルで構成され、運転操作に必要な種々の画面と操作キーが表示され、省エネモードに切り替わると、図３に示すようなメッセージＭとバーグラフＢとが表示されるようになっている。
また、物品検出センサ７は、搬送コンベア２の上流側に設置された発光器と受光器とから構成され、受光器が物品を検出すると、検出信号を制御手段５に出力する。
【００１４】
Ｘ線発生装置３に電力を供給する電源回路８は、特に、通常モード（非省エネモード）から省エネモードへの切り替えを行うために、図示しない定電圧電流回路を備えて、Ｘ線発生装置３に対する印加電圧を一定としながら、印加電流のみを増減させるようになっている。例えば、図２に示すように、搬送中の物品ＡがＸ線照射領域Ｓに到達すると、Ｘ線発生装置３に対する印加電圧を５０ＫＶ〜１００ＫＶ、印加電流を１ｍＡ〜５ｍとする通常モードとし、物品ＡがＸ線照射領域Ｓから外れると、例えば、印加電圧を５０ＫＶ〜１００ＫＶ、印加電流を０．１ｍＡ〜０．５ｍＡとする省エネモードに切り替えるようになっている。
【００１５】
次に、Ｘ線検査装置１の特に制御手段の動作について説明する。
図２に示すように、物品検出センサ７によって搬送中の物品Ａが検出されると、その検出信号が制御手段５に入力される。制御手段５は、その検出信号に基づいて、Ｘ線発生装置３のウオーミングアップ時間を考慮したタイミングで電源回路８に制御信号を送って、物品ＡがＸ線照射領域Ｓに到達するタイミングで通常モードの印加電圧と印加電流がＸ線発生装置３に印加されるように制御する。
次に、物品検出センサ７による物品Ａの検出時間から物品Ａの搬送方向長さが検出されると、その時間が経過するまで前記通常モードの状態を維持するとともに、通常モードの時間を制御手段５のソフトタイマで計測する。このときの表示手段６の表示は、通常運転の状態となっている。
そして、その時間が経過すると、物品ＡがＸ線照射領域Ｓから外れるので、そのタイミングで、印加電流を通常モードから省エネモードに切り替えるとともに、ソフトタイマによる通常モード時間の計測を終了する。同時に、ソフトタイマで省エネモードの時間を計測するとともに、表示手段６の通常運転の表示画面に、省エネモードに移行したことのメッセージ９を図３のように表示する。
こうして、間欠的に搬送されてくる物品Ａを次々と検出しては、Ｘ線発生装置３に対する供給電力を増減し、その間の通常モード時間と省エネモード時間をそれぞれ計測して、その結果を図３に示すようなバーグラフ１０でもって表示する。
【００１６】
なお、図３のバーグラフ１０では、バーの左側が省エネモードの割合を表し、バーの右側が通常モード（非省エネモード）の割合を表しているが、これは、ある瞬間の割合を表したもので、これは一例に過ぎない。また、こうした通常モード時間の計測と省エネモード時間の計測を集計することによって、日単位、月単位、年単位の集計データをバーグラフで表示することもできる。これにより、エネルギーの削減効果を可視化することができるし、省エネモードと通常モードの割合から、物品の供給効率も知ることができる。
【符号の説明】
【００１７】
１    Ｘ線検査装置
２    搬送コンベア
３    Ｘ線発生装置
４    Ｘ線検出センサ
５    制御手段
６    表示手段
７    物品検出センサ
８    電源回路
９    メッセージ
１０    バーグラフ
【図１】
0005887073.tif 000002
【図２】
0005887073.tif 000003
【図３】
0005887073.tif 000004